(57)【要約】【課題】映写スクリーンのカールの発生を防止できる黒板装置を提供する。【解決手段】表面側が磁性金属材からなる黒板１の上下端部にガイドレール３，４が設けられ、上下両ガイドレール３，４には、スクリーン収納用スライド枠５の上下端部がスライド可能に取り付けられ、スクリーン収納用スライド枠５には、一端部が黒板１表面の所要部に固定される映写スクリーン７の他端部をバネ８の付勢力で巻き取り収納する巻取軸９と、バネ８の付勢力に抗して巻取軸９から引き出される映写スクリーン７の裏面側を黒板１の表面に近接させるように案内するガイドローラ１０とが設けられ、映写スクリーン７は、表面側のスクリーン生地１１と、スクリーン生地１１の裏面に貼着されたマグネットシート１２とからなり、巻取軸９に対し、映写スクリーン７の表面側スクリーン生地１１が外向きに配され、裏面側マグネットシート１２が内向きに配されて巻き取られる。【選択図】図２
2015217642.tif 000002
【特許請求の範囲】
【請求項１】
表面側が磁性金属材からなる黒板の上下端部又はその外側壁面に夫々ガイドレールが設けられ、上下両ガイドレールには、スクリーン収納用スライド枠の上下端部がスライド可能に取り付けられ、スクリーン収納用スライド枠には、一端部が黒板表面の所要部に固定される映写スクリーンの他端部をバネの付勢力で巻き取り収納する巻取軸と、前記バネの付勢力に抗して巻取軸から引き出される映写スクリーンの裏面側を黒板の表面に近接させるように案内するガイドローラとが設けられ、前記映写スクリーンは、表面側のスクリーン生地と、このスクリーン生地の裏面に貼着されたマグネットシートとからなるもので、前記巻取軸に対して、映写スクリーンの表面側スクリーン生地が外向きに配され、裏面側マグネットシートが内向きに配されて巻き取られるようになっている黒板装置。
【請求項２】
前記映写スクリーンの一端部は、黒板の左右何れか一端部に固定されている請求項１に記載の黒板装置。
【請求項３】
前記映写スクリーンの一端部は、上下端部が前記上下両ガイドレールにスライド可能に取り付けられたスクリーン引出端部保持用スライド枠に保持されている請求項１に記載の黒板装置。
【請求項４】
前記スクリーン収納用スライド枠には、このスライド枠を所要スライド位置で黒板上に固定するストッパーが設けられている請求項１〜３の何れかに記載の黒板装置。
【請求項５】
前記ストッパーは、スクリーン収納用スライド枠の先端側に配置されたストップバーと、このストップバーの一側部に取り付けられたマグネットと、ストップバーに取り付けられた回動操作用ハンドルとからなるもので、前記ストップバーは、前記マグネットが黒板の表面に当接する停止位置と、前記マグネットが黒板の表面から離間する停止解除位置とにわたって回動可能にスクリーン収納用スライド枠に枢着されている請求項４に記載の黒板装置。
【請求項６】
黒板の上端部に黒板の曲面に対応する曲率とした曲線状のガイドレール枠が設けられ、これに取付支柱枠を介してビデオプロジェクターが取り付けられて、該ビデオプロジェクターがスクリーン収納用スライド枠の左右スライド動作から独立して左右に移動可能に設けられてなる請求項１〜５の何れかに記載の黒板装置。
【発明の詳細な説明】
【技術分野】
【０００１】
本発明は、黒板に映写スクリーンを設置した黒板装置に関する。
【背景技術】
【０００２】
本発明の出願人は、以前に、既存黒板に映写スクリーンを横方向に貼り付けて使用できるようにした黒板装置を提供している（特許文献１）。この黒板装置は、表面側が磁性金属材からなる黒板の上下端部に夫々ガイドレールを設け、上下両ガイドレールには、スクリーン収納用スライド枠の上下端部をスライド可能に取り付け、スクリーン収納用スライド枠には、一端部が黒板表面の所要部に固定される映写スクリーンの他端部をバネの付勢力で巻き取り収納するようにした巻取軸を設けたものである。そして、使用時には、映写スクリーンの一端部を黒板表面の所要部に固定させた状態で、スクリーン収納用スライド枠をガイドレールに沿って離れる方向にスライドさせることにより、映写スクリーンを巻取軸から引き出して黒板表面に磁着させればよく、従って黒板の形が平面や曲面や半曲面のいずれであっても、それらの黒板に対応して簡単に張り付けることができる。
【先行技術文献】
【特許文献】
【０００３】
【特許文献１】特開２０１４−５８１３５号公報
【発明の概要】
【発明が解決しようとする課題】
【０００４】
しかしながら、上記黒板装置には次のような課題があり、この課題について図５を参照して説明する。
【０００５】
図５の(a) において、２１は表面側が磁性金属材からなる黒板、２２はスクリーン収納用スライド枠で、このスライド枠２２には、一端部が黒板表面２１ａの所要部に固定される映写スクリーン２３の他端部側を図示しないバネの付勢力で巻き取り収納するようにした巻取軸２４が設けてある。この映写スクリーン２３は、同図の(b) に示すように、表面側のスクリーン生地２５と、このスクリーン生地２５の裏面に貼着されたマグネットシート２６とからなるもので、スクリーン生地２５は、例えば塩化ビニルからなる支持体の表面側にフッ素フィルムを積層したものからなり、またマグネットシート２６は、磁性粉末を含有する合成ゴムシートからなる。
【０００６】
図５の(c) は、図５の(a) のＶ−Ｖ線断面を上下幅方向断面として表した図面であり、映写スクリーン２３が巻取軸２４から引き出されて黒板表面２１ａに磁着された状態を示している。この図から分かるように、映写スクリーン２３の幅方向に沿う上下両端部２３ａ，２３ａが表側へ反り返った状態のカール（巻き皺）を形成している。このようなカールの発生要因としては、映写スクリーン２３が非使用時は巻取軸２４に巻き取られた状態にあるため、その巻き癖によるものであったり、あるいは映写スクリーン２３のスクリーン生地２５に形成される反射層の積層量によるものなどが考えられるが、何れにしても、このようなカールは、スクリーン表面の平面性を損なうもので、映写時に明るさムラなどを発生することになる。
【０００７】
本発明者は、上記のようにスクリーン表面の平面性を損なうカールの実態を、更に鋭意検討してみると、図５の(a) に示す黒板装置のスライド枠２２に設けた巻取軸２４では、同図の(d) に示すように、映写スクリーン２３のスクリーン生地２５が内向きに配され、このスクリーン生地２５の裏面にあるマグネットシート２６が外向きに配されて巻取軸２４に巻き取られることから、映写スクリーン２３のスクリーン生地２５側が矢印イに示す方向に収縮力が働いて収縮し、マグネットシート２６側では矢印ロで示す方向に伸張力が働いて伸びが生じることになり、そのため映写スクリーン２３が黒板表面２１ａに沿って磁着される時に、この映写スクリーン２３の開放端部である幅方向に沿う上下両端部２３ａ，２３ａが表側へ反り返った状態のカールを形成するものと考えられる。
【０００８】
そこで、本発明は、巻取軸に対し、映写スクリーンの表面側スクリーン生地が外向きに配され、裏面側マグネットシートが内側に配されて巻き取られるようにすることにより、上記のようなカールの発生を防止できる黒板装置を提供することを目的とする。
【課題を解決するための手段】
【０００９】
上記課題を解決するための手段を、後述する実施形態の参照符号を付して説明すると、請求項１に係る発明は、表面側が磁性金属材からなる黒板１の上下端部又はその外側壁面に夫々ガイドレール３，４が設けられ、上下両ガイドレール３，４には、スクリーン収納用スライド枠５の上下端部がスライド可能に取り付けられ、スクリーン収納用スライド枠５には、一端部が黒板１表面の所要部に固定される映写スクリーン７の他端部をバネ８の付勢力で巻き取り収納する巻取軸９と、前記バネ８の付勢力に抗して巻取軸９から引き出される映写スクリーン７の裏面側を黒板１の表面に近接させるように案内するガイドローラ１０とが設けられ、前記映写スクリーン７は、表面側のスクリーン生地１１と、このスクリーン生地１１の裏面に貼着されたマグネットシート１２とからなるもので、前記巻取軸９に対して、映写スクリーン７の表面側スクリーン生地１１が外向きに配され、裏面側マグネットシート１２が内向きに配されて巻き取られるようになっていることを特徴としている。
【００１０】
請求項２は、請求項１に記載の黒板装置において、前記映写スクリーン７の一端部７ａは、黒板１の左右何れか一端部に固定されていることを特徴とする。
【００１１】
請求項３は、請求項１に記載の黒板装置において、前記映写スクリーン７の一端部７ａは、上下端部が前記上下両ガイドレール３，４にスライド可能に取り付けられたスクリーン引出端部保持用スライド枠２０に保持されていることを特徴とする。
【００１２】
請求項４は、請求項１〜３の何れかに記載の黒板装置において、前記スクリーン収納用スライド枠５には、このスライド枠５を所要スライド位置で黒板１上に固定するストッパー１３が設けられていることを特徴とする。
【００１３】
請求項５は、請求項４に記載の黒板装置において、前記ストッパー１３は、スクリーン収納用スライド枠５の先端側に配置されたストップバー１４と、このストップバー１４の一側部に取り付けられたマグネット１５と、ストップバー１４に取り付けられた回動操作用ハンドル１６とからなるもので、前記ストップバー１４は、前記マグネット１５が黒板１の表面に当接する停止位置と、前記マグネット１５が黒板１の表面から離間する停止解除位置とにわたって回動可能にスクリーン収納用スライド枠５に枢着されていることを特徴とする
【００１４】
請求項６は、請求項１〜５の何れかに記載の黒板装置において、黒板１の上端部に黒板１の曲面に対応する曲率の曲線状のガイドレール枠３３が設けられ、これに取付支柱枠３４を介してビデオプロジェクターＶＰが取り付けられて、該ビデオプロジェクターＶＰがスクリーン収納用スライド枠５の左右スライド動作から独立して左右に移動可能に設けられている。
【発明の効果】
【００１５】
上記解決手段による発明の効果を、後述する実施形態の参照符号を付して説明すると、請求項１に係る発明の黒板装置によれば、映写スクリーン７は、巻取軸９に対し、表面側のスクリーン生地１１が外向きに配され、裏面側マグネットシート１２が内向きに配されて巻き取られているから、映写スクリーン７がコイルバネ８の付勢力に抗して巻取軸９から引き出される時には、スクリーン生地１１側が伸張し、マグネットシート１２側が収縮することになり、このため映写スクリーン７の開放端部である幅方向両端部は、内側へ反り返った状態とはなっても、外側へ反り返ってカールを形成するようなことがなく、従って映写スクリーン７の幅方向両端部は、黒板１の表面材１ｂ上に隙間なく密着した状態で磁着され、これによってスクリーン表面の平面性が維持され、映写時に明るさムラなどを発生するおそれがない。
【００１６】
請求項２に係る発明のように、映写スクリーン７の一端部７ａを黒板１の左右何れか一端部に固定するようにすれば、映写スクリーン７の使用時にはスクリーン収納用スライド枠５のみスライドさせればよいから、操作が簡単となり、特に黒板１の左右何れか半分だけ映写スクリーン７を使用するような場合に便利で、映写スクリーン７の引き出しが容易となる。
【００１７】
請求項３に係る発明のように、映写スクリーン７の一端部７ａをスクリーン引出端部保持用スライド枠２０に保持させるようにすれば、映写スクリーン７を黒板１の左右長手方向のどの位置でも使用できる、つまり黒板の左側部分でも、右側部部でも、中央部分でも、また黒板の全域でも使用することができる。
【００１８】
請求項４に係る発明のように、スクリーン収納用スライド枠５には、このスライド枠５を所要スライド位置で黒板１上に固定するストッパー１３を設けているから、このストッパー１３でスクリーン収納用スライド枠５を固定することにより、映写スクリーン７の使用中にスクリーン収納用スライド枠５が不測に移動することがなく、また映写スクリーン７が巻取軸９に完全に巻き取られて、映写スクリーン７が黒板１の表面に磁着されていない状態でも、スクリーン収納用スライド枠５を黒板１表面の所要位置に固定できる。
【００１９】
請求項５に係る発明によれば、ストッパー１３を構成する回転操作用ハンドル１６を回転操作するだけでスクリーン収納用スライド枠５を所要位置に固定することができるから、ストッパー１３の構造が簡単で、操作が簡単となる。
【００２０】
請求項６に係る発明によれば、黒板１の上端部に黒板１の曲面に対応する曲率の曲線状のガイドレール枠３３が設けられ、これに取付支柱枠３４を介してビデオプロジェクターＶＰが取り付けられて、スクリーン収納用スライド枠５の左右スライド動作から独立して左右に移動可能に設けられているため、スクリーン収納用スライド枠５によって引き出された映写スクリーン７の引き出し中央部位にビデオプロジェクターＶＰを持ちきたすことができ、映写スクリーン７の映写面が黒板１の曲面に対応する曲率となっていても、ビデオプロジェクターＶＰの映写焦点を映写スクリーン７に正確に合わせることができ、鮮明な映写が可能である。
【図面の簡単な説明】
【００２１】
【図１】(a) は本発明に係る黒板装置の一実施形態を示す正面図であり、(b) は平面図、(c) は右側面図である。
【図２】(a) は図１の(a) のＸ−Ｘ線拡大断面図、(b) は(a) のＹ−Ｙ線拡大断面図、(c) は(a) の矢印Ａで示す部分の拡大図、(d) は図１の(a) のＷ−Ｗ線拡大断面図である。
【図３】(a) は本発明に係る黒板装置の他の実施形態を示す正面図であり、(b) は平面図、(c) は右側面図である。
【図４】図３の(a) のＺ−Ｚ線拡大断面図である。
【図５】(a) は従来の黒板装置の作用を説明する、図２の(a) と同様な断面図、(b) は黒板表面に磁着された映写スクリーンの一部拡大断面図、(c) は(a) のＶ−Ｖ線断面図、(d) は(a) の矢印Ｂで示す部分の拡大図である。
【発明を実施するための形態】
【００２２】
以下に本発明の好適な一実施形態を図面に基づいて説明すると、本発明に係る黒板装置の全体を示す図１及びその詳細を示す図２において、１は曲面状の黒板で、図２の(b) に示すように、黒板本体１ａと、この黒板本体１ａの表面側に貼着された鋼板（磁性金属材）製の表面材１ｂと、からなるもので、黒板１の上下側縁部には上下縁枠２ａ，２ｂが、左右側縁部には左右縁枠２ｃ，２ｃが夫々取り付けられている。尚、図１の(a) 〜(c) において、３１は黒板１の下端部に設けられた粉受け、３２は黒板取付枠で、この黒板取付枠３２を介して黒板１を建物壁面等に取り付けるようになっている。
【００２３】
黒板１の上下端部には、黒板１の曲面に対応する曲線状のガイドレール３，４が黒板１の全長にわたって取り付けられており、上下両ガイドレール３，４にはスクリーン収納用スライド枠５の上下端部が転動子６（図２の(d) 参照）を介してスライド可能に取り付けられている。このスクリーン収納用スライド枠５は、図２の(a) に示すように、枠本体５ａと、これに取り付けられたカバー体５ｂとからなるもので、図１の(a) 及び図２の(d) に示すように、枠本体５ａの上下端部に設けられたブラケット１８，１９に夫々複数の転動子６が軸着され、各転動子６が上下ガイドレール３，４に夫々スライド可能に嵌合され、それによってスクリーン収納用スライド枠５が上下両ガイドレール３，４に沿って横方向にスライドできるようになっている。尚、図２の(d) は上部ガイドレール３部分の断面構造を示し、下部ガイドレール４部分の断面構造は図示を省略している。
【００２４】
また図２の(a) に示すように、スクリーン収納用スライド枠５には、一端部７ａが黒板１の一端部に固定される映写スクリーン７の他端部をコイルバネ８の付勢力によって巻き取り収納する巻取軸９と、前記コイルバネ８の付勢力に抗して巻取軸９から引き出される映写スクリーン７の裏面側を黒板１の表面材１ｂに近接させるように案内するガイドローラ１０とが設けられている。尚、このガイドローラ１０は、上記のように映写スクリーン７の裏面側を黒板１の表面材１ｂに近接させると共に、映写スクリーン７の表面側が巻取軸９に対し外向きになるように案内するローラである。この実施形態の黒板装置では、映写スクリーン７は、図１の(a) ，(b) 及び図２の(a) に示すように、その一端部７ａが、黒板１の表面材１ｂの左側端部で左側の縁枠２ｃに挟まれた状態で固定されている。
【００２５】
映写スクリーン７は、図２の(b) に示すように、表面側のスクリーン生地１１と、このスクリーン生地１１の裏面に貼着されたマグネットシート１２とからなるもので、スクリーン生地１１は、例えば塩化ビニルからなる支持体（図示せず）の表面側にフッ素フィルム（図示せず）を積層したものからなり、またマグネットシート１２は、磁性粉末を含有する合成ゴムシートからなるものである。
【００２６】
そして、この映写スクリーン７を巻取軸９に巻き取るにあたり、図２の(c) に示すように、映写スクリーン７の表面側スクリーン生地１１が巻取軸９に対して外向きに配され、裏面側マグネットシート１２が巻取軸９に対して内向きに配されて巻き取られるようになっている。
【００２７】
前記スクリーン収納用スライド枠５には、このスライド枠５を、黒板１の表面材１ｂ上の所要スライド位置で固定するストッパー１３が設けられているから、このストッパー１３でスクリーン収納用スライド枠５を固定することにより、映写スクリーン７の使用中にスクリーン収納用スライド枠５が不測に移動することがなく、また映写スクリーン７が巻取軸９に完全に巻き取られて、映写スクリーン７が黒板１の表面に磁着されていない状態でも、スクリーン収納用スライド枠５を黒板１の所要位置に固定することができる。
【００２８】
上記ストッパー１３は、図１の(a) 及び図２の(a) に示すように、スクリーン収納用スライド枠５の先端側に配置された断面矩形状のストップバー１４と、このストップバー１４の一側部に取り付けられた帯板状のマグネット１５と、前記ストップバー１４に取り付けられた回動操作用ハンドル１６とにより構成されるもので、前記ストップバー１４は、前記マグネット１５が黒板１の表面材１ｂに当接して磁着する停止位置（図２の(a) の実線図示位置）と、前記マグネット１５が前記停止位置より９０度回転して黒板１の表面材１ｂから離間する停止解除位置（同図の仮想線図示位置）とに亘って回動するようにヒンジ１７によりスクリーン収納用スライド枠５に枢着されているから、回動操作用ハンドル１６によってストップバー１４を停止位置と停止解除位置とに容易に操作することができる。
【００２９】
また、図１の(a) 〜(c) に示すように、黒板１の上端部には、黒板１の曲面に対応する曲線状のガイドレール枠３３が設けてあって、このガイドレール枠３３に案内されて黒板長手方向に移動可能な取付支柱枠３４に、ビデオプロジェクターＶＰが取り付けられている。従って、ビデオプロジェクターＶＰを黒板１の長手方向に移動させて任意の位置で黒板１の表面に投影することができる。また、ビデオプロジェクターＶＰがガイドレール枠３３に沿って黒板長手方向に直接移動するから、最初に焦点距離を合わせておけば、任意の位置で停止させて、その停止位置で距離を合わせることなく映像を黒板１の表面に映すことができる。
【００３０】
以上図１及び図２によって説明した実施形態の黒板装置は、ビデオプロジェクターＶＰ を例えば図１の(a) ，(b) の実線図示のように黒板１の左側上端部に停止させておくと、映写スクリーン７を黒板１の左側半分だけを使用する場合に、スクリーン収納用スライド枠５を図１の(a) の仮想線図示位置から同図の実線で示すような黒板１の長手方向中央位置までスライドさせればよい。尚、この実施形態では、映写スクリーン７の一端部７ａを黒板１の左側の端部に固定しているが、右側の端部に固定してもよく、その場合、図２の(a) に示すスクリーン収納用スライド枠５の断面構造は左右逆向きの配置となり、そして映写スクリーン７を黒板１の右側半分だけ使用する場合に、ビデオプロジェクターＶＰを図１の(a) ，(b) の仮想線図示のように黒板１の右側上端部に停止させておいて、スクリーン収納用スライド枠５を黒板１の左側の端部から黒板１の中央位置までスライドさせればよい。
【００３１】
上記のように構成される黒板装置の作用について説明すると、先ず、映写スクリーン７を使用しない時は、スクリーン収納用スライド枠５を、図１の(a) の仮想線図示のように黒板１の左端に寄せておけば、黒板１はそのほぼ全面を使用することができる。尚、この時、ストッパー１３は、そのストップバー１４を図２の実線図示のような停止位置にセットしておく。
【００３２】
そして、ビデオプロジェクターＶＰを図１の(a) ，(b) の実線図示のように黒板１の左側上端部に停止させておいて、この位置から映写スクリーン７にビデオを放映する時は、ストッパー１３のストップバー１４を回動操作用ハンドル１６で図２の(a) の実線で示す停止位置から仮想線図示位置まで回動させることで停止解除状態とした後、スクリーン収納用スライド枠５を図１の(a) の仮想線図示から同図の右方向へスライドさせると、映写スクリーン７は、コイルバネ８の付勢力に抗して巻取軸９から引き出され、その裏面側のマグネットシート１２が黒板１の表面材１ｂ上に磁着されていく。
【００３３】
前記したように、映写スクリーン７は、巻取軸９に対し、表面側のスクリーン生地１１が外向きに配され、裏面側マグネットシート１２が内向きに配されて巻き取られているため、上記のように映写スクリーン７がコイルバネ８の付勢力に抗して巻取軸９から引き出される時は、図２の(c) に示すように、映写スクリーン７のスクリーン生地１１側に矢印ハで示すように伸張力が働いて、映写スクリーン７の表面側が伸張し、マグネットシート１２側には矢印ニで示すように収縮力が働いて、映写スクリーン７の裏面側が収縮することになる。このため、映写スクリーン７の開放端部である幅方向両端部は、内側へ反り返った状態とはなっても、外側へ反り返ってカールを形成するようなことがなく、従って映写スクリーン７の幅方向両端部は、黒板１の表面材１ｂ上に隙間なく密着した状態で磁着される。これにより、スクリーン表面の平面性が維持されて、映写時に明るさムラなどを発生するおそれがない。
【００３４】
スクリーン収納用スライド枠５を図１の(a) の実線で示すように黒板１の長手方向中央位置までスライドさせたならば、ストッパー１３のストップバー１４を回動操作用ハンドル１６で図２の(a) の仮想線で示す図示位置から実線で示す停止解除位置から実線図示の停止位置まで回動させることによって、スクリーン収納用スライド枠５を黒板１の表面材１ｂ上に固定する。
【００３５】
上述した図１に示す実施形態の黒板装置では、映写スクリーン７の一端部７ａ、即ち巻取軸９から引き出される映写スクリーン７の先端部を黒板１の一端部に固定しているが、図３に示す実施形態の黒板装置は、映写スクリーン７の一端部７ａを、上下端部が前記上下両ガイドレール３，４にスライド可能に取り付けられたスクリーン引出端部保持用スライド枠２０に保持させるようにしている。尚、図３に示す黒板装置では、図１に示すようなビデオプロジェクターＶＰ、ガイドレール枠３３及び取付支柱枠３４の図示を省略する。
【００３６】
このスクリーン引出端部保持用スライド枠２０は、図３の(a) ，(b) 及び図４の左側に示すように、枠本体２０ａと、これに取り付けられたカバー体２０ｂとからなるもので、枠本体２０ａの上下端部に設けられたブラケット２８，２９には、図示は省略するが、先の実施形態である図２の(d) に示すものと同じ構造で、夫々複数の転動子が軸着されて、各転動子が上下ガイドレール３，４に夫々スライド可能に嵌合され、それによりスクリーン引出端部保持用スライド枠２０が上下両ガイドレール３，４に沿って横方向にスライドできるようになっている。そして、このスライド枠２０の枠本体２０ａに映写スクリーン７の一端部７ａが止着されている。
【００３７】
この図３に示す実施形態の黒板装置は、スクリーン引出端部保持用スライド枠２０以外の構成については、図１に示す実施形態の黒板装置と全く同じ構成であるため、同一構成部材には同一符号を付して説明を省略する。この黒板装置の特徴は、映写スクリーン７を黒板１の左右長手方向のどの位置でも使用できる、つまり黒板の左側部分でも、右側部部でも、中央部分でも、また黒板の全域でも使用することができることであり、その作用を以下に説明する。
【００３８】
映写スクリーン７を使用しない時は、スクリーン収納用スライド枠５とスクリーン引出端部保持用スライド枠２０とを互いに引き寄せて近接させた状態で、図３の(a) の仮想線図示のように黒板１の左端に寄せておく。また、この時、ストッパー１３は、停止位置にセットしておく。
【００３９】
尚、学校に設置される黒板装置の場合には、映写スクリーン７の非使用時に、生徒・児童が授業以外の時間で勝手に動かさないように、スクリーン収納用スライド枠５及びスクリーン引出端部保持用スライド枠２０を黒板１の端部にロックするロック手段を設けておくとよい。このロック手段としては、例えば、図３の(a) に概略示すように、鎖等の索体Ｋの一端部を黒板１の左端部に固定し、その他端部にロックピンＰを止着しておいて、スクリーン収納用スライド枠５及びスクリーン引出端部保持用スライド枠２０が黒板１の左端に寄せられた位置で、スクリーン収納用スライド枠５の下端側のブラケット１９に設けた錠ＬにロックピンＰを差し込んで、この錠Ｌを鍵（図示せず）で施錠することにより、ロックピンＰをロックして、スクリーン収納用スライド枠５及びスクリーン引出端部保持用スライド枠２０を動かないように固定することができる。
【００４０】
映写スクリーン７を黒板１の中央部側で使用する時は、ストッパー１３を停止解除状態にして、スクリーン収納用スライド枠５及びスクリーン引出端部保持用スライド枠２０を、図３の(a) の仮想線図示位置から右方へスライドさせ、そしてスクリーン引出端部保持用スライド枠２０が同図(a) の実線図示位置まで移動した状態で、スクリーン収納用スライド枠５をスクリーン引出端部保持用スライド枠２０から離れる右方へスライドさせることにより、映写スクリーン７はコイルバネ８の付勢力に抗して巻取軸９から引き出され、その裏面側のマグネットシート１２が黒板１の表面材１ｂ上に磁着されていく。
【００４１】
この場合も、映写スクリーン７は、巻取軸９に対し表面側のスクリーン生地１１が外向きに配され、裏面側マグネットシート１２が内向きに配されて巻き取られているため、映写スクリーン７がコイルバネ８の付勢力に抗して巻取軸９から引き出される時には、図２の(c) に示すように、映写スクリーン７のスクリーン生地１１側が伸張し、マグネットシート１２側が収縮することになり、このため映写スクリーン７の開放端部である幅方向両端部は、内側へ反り返った状態とはなっても、外側へ反り返ってカールを形成するようなことがなく、従って映写スクリーン７の幅方向両端部は、黒板１の表面材１ｂ上に隙間なく密着した状態で磁着され、これによってスクリーン表面の平面性が維持される。
【００４２】
スクリーン収納用スライド枠５を図３の(a) の実線で示す位置までスライドさせたならば、ストッパー１３のストップバー１４を回動操作用ハンドル１６で停止解除位置から停止位置まで回動させて、スクリーン収納用スライド枠５を黒板１の表面材１ｂ上に固定することにより、映写スクリーン７の使用中にスクリーン収納用スライド枠５が不測に移動することがない。
【００４３】
上述した図１及び図３に示す実施形態の黒板装置では、スクリーン収納用スライド枠５及びスクリーン引出端部保持用スライド枠２０黒板１の長手方向にスライド可能に案内するガイドレール３，４を黒板１の上下端部に直接に設けているが、このガイドレール３，４は、黒板１が設置されている建物内仕切壁等の壁面における黒板１の上下端部に対応する位置に設けてもよい。
【００４４】
又、本実施例では、図１の（ａ）〜（ｃ）に示すように、黒板１の上端部に黒板１の曲面に対応する曲率（曲線状）のガイドレール枠３３が設けられ、これに取付支柱枠３４を介してビデオプロジェクターＶＰが取り付けられて、スクリーン収納用スライド枠５の左右スライド動作から独立して左右に移動可能に設けられているため、スクリーン収納用スライド枠５によって引き出された映写スクリーン７の引き出し中央部位にビデオプロジェクターＶＰを持ちきたすことができ、映写スクリーン７の映写面が黒板１の曲面に対応する曲率となっていても、ビデオプロジェクターＶＰの映写焦点を映写スクリーン７に正確に合わせることができ、鮮明な映写が可能である。
これに対して、例えば取付支柱枠を介してビデオプロジェクターＶＰをスクリーン収納用スライド枠５に一体に取り付け、ビデオプロジェクターＶＰをスクリーン収納用スライド枠５と一体に左右に移動可能に設けることが可能であるとしても、これでは図１の（ａ）からも推測できるようにスクリーン収納用スライド枠５によって引き出された映写スクリーン７の引き出し中央部位にビデオプロジェクターＶＰを持ちきたすことができないから、黒板１の曲面に対応する曲率の映写スクリーン７の映写面にビデオプロジェクターＶＰの映写焦点を合わせることは困難である。
【００４５】
また上述した黒板装置は、既設の黒板１に対し、後付けで、ガイドレール３，４、及び巻取軸９に巻き取った映写スクリーン７を備えたスクリーン収納用スライド枠５、更にはスクリーン引出端部保持用スライド枠２０を装備できるようしたものであるが、黒板装置の新設時に新しい黒板１にそれらを装備することもできる。
【符号の説明】
【００４６】
１            黒板
３，４        ガイドレール
５            スクリーン収納用スライド枠５
７            映写スクリーン
８            コイルバネ
９            巻取軸
１０          ガイドローラ
１１          映写スクリーンのスクリーン生地
１２          映写スクリーンのマグネットシート
１３          ストッパー
１４          ストップバー
１５          マグネット
１６          回動操作用ハンドル
【図１】
2015217642.tif 000003
【図２】
2015217642.tif 000004
【図３】
2015217642.tif 000005
【図４】
2015217642.tif 000006
【図５】
2015217642.tif 000007